(57)【要約】      （修正有）【課題】情報機器の表示装置において、部品点数の削減、製造コストの低減、表示装置の薄型化、表示視認性の向上を図る。【解決手段】例えば、携帯電話機の表示装置において、有機ＥＬパネル１を収容するためのフロントケース（ＬＣＤ側）２の一部にホールド構造として凸状ガイドリブ９及び固定用爪１０を設け、これら凸状ガイドリブ９及び固定用爪１０により有機ＥＬパネル１を固定支持する。フロントケース２には、有機ＥＬパネル１の衝撃吸収や防塵、防滴機能を果たすラバー３を貼り付けている。【選択図】        図２
2004252251.tif 000002
【特許請求の範囲】
【請求項１】
表示パネルと、表示パネルを収容するための収容ケースとを備えた表示装置において、
表示パネルを収容ケース内で固定するためのホールド構造を収容ケースの一部に設け、前記ホールド構造を用いて表示パネルを収容ケース内で固定することを特徴とする表示装置。
【請求項２】
前記収容ケースは、表示パネルの前面側に配置されるフロントケースと表示パネルの背面側に配置されるリアケースとを備え、
前記ホールド構造をフロントケースの一部に設けたことを特徴とする請求項１に記載の表示装置。
【請求項３】
表示パネルの側面を取り囲み、表示パネルの側面を支持することにより表示パネルを収容ケース内で固定する凸状ガイドリブをホールド構造としてフロントケースの一部に設けたことを特徴とする請求項２に記載の表示装置。
【請求項４】
表示パネルの背面を支持することにより表示パネルを収容ケース内で固定する板体をホールド構造としてフロントケースの一部に設けたことを特徴とする請求項２に記載の表示装置。
【請求項５】
前記表示装置は、表示窓が一体となった表示パネルを備えたことを特徴とする請求項１〜４のいずれかに記載の表示装置。
【請求項６】
表示パネルと、表示パネルの前面と対向して配置される表示窓と、表示パネル及び表示窓を収容するための収容ケースとを備えた表示装置において、
表示パネルを収容ケース内で固定するためのホールド構造を表示窓の一部に設け、前記ホールド構造を用いて表示パネルを収容ケース内で固定することを特徴とする表示装置。
【請求項７】
表示パネルの側面を取り囲み、表示パネルの側面を支持することにより表示パネルを収容ケース内で固定する凸状ガイドリブをホールド構造として表示窓の一部に設けたことを特徴とする請求項６に記載の表示装置。
【請求項８】
凸状ガイドリブの少なくとも一部に表示パネルの背面から表示パネルを支持する固定用爪をホールド構造として設けたことを特徴とする請求項３又は７に記載の表示装置。
【請求項９】
断面形状がＬ字状のＬ字断面クッション材を表示パネルの側面に沿って表示パネルの側面と凸状ガイドリブとの間に配置し、Ｌ字断面クッション材を介して凸状ガイドリブが表示パネルの側面を支持することにより表示パネルを収容ケース内で固定することを特徴とする請求項３又は７に記載の表示装置。
【請求項１０】
前記表示パネルは、自発光型表示パネルであることを特徴とする請求項１〜９のいずれかに記載の表示装置。
【請求項１１】
表示パネルと、表示パネルを収容するための収容ケースとを備えた情報機器において、
表示パネルを収容ケース内で固定するためのホールド構造を収容ケースの一部に設け、前記ホールド構造を用いて表示パネルを収容ケース内で固定することを特徴とする情報機器。
【請求項１２】
前記収容ケースは、表示パネルの前面側に配置されるフロントケースと表示パネルの背面側に配置されるリアケースとを備え、
前記ホールド構造をフロントケースの一部に設けたことを特徴とする請求項１１に記載の情報機器。
【請求項１３】
表示パネルの側面を取り囲み、表示パネルの側面を支持することにより表示パネルを収容ケース内で固定する凸状ガイドリブをホールド構造としてフロントケースの一部に設けたことを特徴とする請求項１２に記載の情報機器。
【請求項１４】
表示パネルの背面を支持することにより表示パネルを収容ケース内で固定する板体をホールド構造としてフロントケースの一部に設けたことを特徴とする請求項１２に記載の情報機器。
【請求項１５】
前記情報機器は、表示窓が一体となった表示パネルを備えたことを特徴とする請求項１１〜１４のいずれかに記載の情報機器。
【請求項１６】
表示パネルと、表示パネルの前面と対向して配置される表示窓と、表示パネル及び表示窓を収容するための収容ケースとを備えた情報機器において、
表示パネルを収容ケース内で固定するためのホールド構造を表示窓の一部に設け、前記ホールド構造を用いて表示パネルを収容ケース内で固定することを特徴とする情報機器。
【請求項１７】
表示パネルの側面を取り囲み、表示パネルの側面を支持することにより表示パネルを収容ケース内で固定する凸状ガイドリブをホールド構造として表示窓の一部に設けたことを特徴とする請求項１６に記載の情報機器。
【請求項１８】
凸状ガイドリブの少なくとも一部に表示パネルの背面から表示パネルを支持する固定用爪をホールド構造として設けたことを特徴とする請求項１３又は１７に記載の情報機器。
【請求項１９】
断面形状がＬ字状のＬ字断面クッション材を表示パネルの側面に沿って表示パネルの側面と凸状ガイドリブとの間に配置し、Ｌ字断面クッション材を介して凸状ガイドリブが表示パネルの側面を支持することにより表示パネルを収容ケース内で固定することを特徴とする請求項１３又は１７に記載の情報機器。
【請求項２０】
前記表示パネルは、自発光型表示パネルであることを特徴とする請求項１０〜１９のいずれかに記載の情報機器。
【発明の詳細な説明】
【０００１】
【発明の属する技術分野】
この発明は、表示装置を有する情報機器に関するものである。
【０００２】
【従来の技術】
従来の表示装置を有する携帯情報機器においては、導光板上に表示部が位置決めされている。表示部とメイン基板との間には所定のホルダーが介在しており、このホルダーが表示部を位置決めしている。
図７は、従来の表示装置を示す断面図である。図７において、ＬＣＤ（Ｌｉｑｕｉｄ  Ｃｒｙｓｔａｌ  Ｄｉｓｐｌａｙ）ホルダー１５に取付けられた有機ＥＬ（Ｅｌｅｃｔｒｏ  Ｌｕｍｉｎｅｓｃｅｎｔ）パネル１は、ＬＣＤホルダー１５を介してシステム基板４に爪固定され、システム基板４は、フロントケースのリブにて位置決めされる構造である。
【０００３】
【特許文献１】
特開２００２−９９３６（請求項４−７、第２図）
【０００４】
【発明が解決しようとする課題】
従来の表示装置は、表示パネルと光源装置を固定し、かつ基板との取付け手段としてＬＣＤホルダーを設けなければならず、部品点数を増やす必要があった。
【０００５】
このため、ＬＣＤホルダーの部品厚み分が表示装置全体の厚みに影響するため、製品としての厚みを大きくする必要があった。
【０００６】
また、表示装置を基板に取付ける構造としていたため、表示装置−基板−フロントケース−表示窓の部品構成により、各部品の組立構成が決まるため、表示窓に対する表示装置の各部品間の公差やクリアランスの積み上げにより、表示エリアのズレが発生し、表示視認性を悪くするなどの課題があった。
【０００７】
また、このような表示装置を備える携帯情報機器についても、同様の理由から、更なる小型、軽量化の障害となり、表示視認性も悪くなってしまうなどの課題があった。
【０００８】
この発明は、上記のような課題を解決するためになされたもので、更なる小型、軽量化を図りつつ、表示視認性が良好な情報機器、特に携帯情報機器を得ることを目的とする。
【０００９】
【課題を解決するための手段】
本発明に係る表示装置は、
表示パネルと、表示パネルを収容するための収容ケースとを備えた表示装置において、
表示パネルを収容ケース内で固定するためのホールド構造を収容ケースの一部に設け、前記ホールド構造を用いて表示パネルを収容ケース内で固定することを特徴とする。
【００１０】
【発明の実施の形態】
実施の形態１．
情報機器の例として携帯電話機を用いて説明する。図１、２は、この発明の実施の形態１を示した図であり、図１は、二つ折り端末の開状態の正面図、側面図、図２は、二つ折り端末の表示装置実装部のＡ−Ａ断面図である。
図２において、１は有機ＥＬパネル（表示パネル）、２は有機ＥＬパネルの全面に対向させて配置され、これを固定保持するフロントケースである。フロントケース２及びリアケース５は、有機ＥＬパネル１を収容するための収容ケースを構成する。そして、フロントケース２は、有機ＥＬパネル１を収容ケース内で固定するためのホールド構造として凸状ガイドリブ９、及び保持するための固定用爪１０を備えている。
凸状ガイドリブ９は、有機ＥＬパネル１の側面を取り囲み、有機ＥＬパネル１の側面を支持することにより有機ＥＬパネル１を収容ケース内で固定する。また、固定用爪１０は、有機ＥＬパネル１の背面から有機ＥＬパネル１を支持する。
【００１１】
これら、フロントケース２の材料としては、例えばＡＢＳ樹脂やＰＣ樹脂などの熱可塑性樹脂材料を用いる事ができる。
【００１２】
フロントケース２には、有機ＥＬパネルの衝撃吸収や防塵・防滴機能を果たすラバー（もしくは、クッション）３を貼り付けている。
【００１３】
有機ＥＬパネル１は、ＦＰＣ７、及びコネクタ８により、システム基板４と接続される。
【００１４】
以上のように、この実施の形態１によれば、有機ＥＬパネル１を固定保持機能（ホールド構造）を備えたフロントケース２に取付けることを可能としたので、光源装置と表示パネルを保持するようなホルダー部品を形成する必要がなくなり部品点数の削減が図れ、かつホルダー部品の厚み分を薄くすることが可能となる。また、フロントケース２を基準に有機ＥＬパネル１を取付けるため、表示窓６に対する各部品の公差やクリアランスの積み上げが小さくなり、表示窓６に対する有機ＥＬパネル１の表示エリアのズレ量を小さくすることができる。
【００１５】
したがって、簡易な構成によって、部品点数の削減、及び表示装置の薄型化を図りつつ、所定の環境仕様と良好な表示視認性を得ることができる効果が得られる。
特に、昨今の携帯電話機は既にかなりの薄型化が図られているが、本実施の形態による構成を携帯電話機に適用した場合、例えば、従来のホルダー部品の削減により、約３０円のコストダウン、ホルダー部品の肉厚分である約０．８ｍｍ相当は、薄型化することができる。
【００１６】
このように、自発光タイプである有機ＥＬパネルを備え、かつフロントケース裏面に有機ＥＬパネルを取り付けることができるホールド構造を備えたので、ホルダー部品が不要となり、部品点数を削減することができ、ホルダーの部品厚み分を表示装置を薄くすることができる効果がある。また、フロントケース裏面に表示装置を取り付けることができるホールド構造を備えたので、製品の表示窓に対する各部品の公差やクリアランスの積み上げ寸法が小さくなり、表示エリアに対するて表示視認性を向上する効果も得られる。
【００１７】
実施の形態２．
上記実施の形態１においては、ホールド構造として、フロントケース２に固定保持用の凸状ガイドリブ９、及び固定用爪１０を設けるものと説明したが、有機ＥＬパネル１を保持固定できる形状であればこれに限定されず、例えば、図３に示すように、有機ＥＬパネル１の前面に対向して配置された表示窓６に有機ＥＬパネル１を固定保持するための凸状ガイドリブ、及び保持するための爪を備えてもよい。
ここで、図３は、ホールド構造として、表示窓６に凸状ガイドリブ９、及び固定用爪１０を設けた表示装置実装側の断面図である。図３において、他の構成要素は図１のものと同様である。
【００１８】
このように、本実施の形態に係るホールド構造を用いても、実施の形態１の場合と同様に、ホルダー部品が不要となるため、部品点数の削減、製造コストの低減、表示装置の薄型化、表示視認性の向上を図ることができる。
【００１９】
実施の形態３．
また、例えば、図４に示すように、断面形状がＬ字状のＬ字断面ラバー（Ｌ字断面クッション材）３０にて有機ＥＬパネル１を覆い、フロントケース２、または表示窓６に設けられた凸状ガイドリブ内に圧入する固定保持構造を備えてもよい。つまり、Ｌ字断面ラバー３０を有機ＥＬパネル１の側面に沿って有機ＥＬパネル１の側面と凸状ガイドリブ９との間に配置し、Ｌ字断面ラバー３０を介して凸状ガイドリブ９が有機ＥＬパネル１の側面を支持することにより有機ＥＬパネル１を収容ケース内で固定するようにしてもよい。
ここで、図４は、フロントケース２の凸状ガイドリブ９、及びＬ字断面ラバー３０を有した表示装置実装側の断面図である。図４において、他の構成要素は図１のものと同様である。
【００２０】
Ｌ字断面ラバー３０の材料としては、例えばエラストマー系ラバー材などのパネルを外力や内部応力から保護する衝撃吸収材とする必要がある。
【００２１】
なお、図４では、フロントケースに凸状ガイドリブを設け、Ｌ字断面ラバーを介してフロントケースのガイドリブが有機ＥＬパネルの側面を支持する構造を説明したが、実施の形態２に示したように表示窓に凸状ガイドリブを設け、Ｌ字断面ラバーを介して表示窓の凸状ガイドリブが有機ＥＬパネルの側面を支持する構造としてもよい。
【００２２】
実施の形態４．
図５は、この発明の実施の形態４による表示装置を示す断面図である。
なお、既に説明した部材と同一、もしくは相当する部材には同一符号を付して、重複説明を適宜省略する。
図５において、有機ＥＬパネル１は表示窓と一体になっており、表示装置は有機ＥＬパネル１と有機ＥＬパネル１の額縁エリアを覆う表面バッチ１２とで構成される。その他の構成は、上記実施の形態１〜３の場合と同様である。
【００２３】
本実施の形態では、フロントケース２の有機ＥＬパネル１のホールド構造として、有機ＥＬパネル１の背面を支持することにより有機ＥＬパネル１を収容ケース内で固定するための板体を設ける。具体的には図５のように有機ＥＬパネル１の裏面外周を保持する受けリブ１３を形成したり、図６のように有機ＥＬパネル１の裏面全面を保持する受け面１４を形成する。
【００２４】
以上のように、この実施の形態４によれば、有機ＥＬパネル１は表示窓を兼ねた部品構成で形成できるので、表示窓が無くなったことで表示面が近くなり、また表示窓の表面でのギラツキが無くなり、コントラスト比が向上することによる表示視認性が向上する効果が得られる。
【００２５】
また、有機ＥＬパネル１の裏面にフロントケース２の受けリブ１３及び受け面１４を構成することにより、有機ＥＬパネル表面側からの耐外力に対する強度を向上する効果も得られる。
【００２６】
なお、本実施の形態では、有機ＥＬパネルと表示窓とが一体となっている場合について説明したが、有機ＥＬパネルと表示窓とが離れている場合であっても有機ＥＬパネルの裏面に受けリブや受け面を設けてもよい。
【００２７】
実施の形態１〜４では、有機ＥＬパネルを実装した表示装置を例として説明してきたが、有機ＥＬパネルに限定されずに、自発光タイプを実装した表示装置、もしくは光源を有しない表示装置であってもホルダー部品を不要とすることができるので、上述した部品点数削減を図れるとともに、薄型化を実現できる。
【００２８】
また、実施の形態１〜４に示した表示装置を適用する情報機器として携帯電話機を例にして説明したが、これに限定されず、その他の情報機器、例えば、時計、カメラ、データターミナル機器などの各種電子機器について適用することも可能である。
【００２９】
ここで、実施の形態１〜４に示した携帯電話機の特徴を再言する。
【００３０】
実施の形態１、３に記載の携帯電話機は、フロントケース表面にディスプレイ表示装置が設けられた携帯電話機であって、自発光タイプである有機ＥＬディスプレイ表示装置を備え、かつフロントケース裏面に表示装置を取付ける事ができるホールド構造を備えた事を特徴とする。
【００３１】
実施の形態２に記載の携帯電話機は、フロントケース表面にディスプレイ表示装置が設けられた携帯電話機であって、自発光タイプである有機ＥＬディスプレイ表示装置を備え、かつフロントケースに取り付けた表示窓の裏面に表示装置を取付ける事ができるホールド構造を備えた事を特徴とする。
【００３２】
実施の形態４に記載の携帯電話機は、フロントケース表面にディスプレイ表示装置が設けられた携帯電話機であって、有機ＥＬディスプレイ表示装置を表示窓と兼ねた構造とする事を特徴とする。
【００３３】
実施の形態４に記載の携帯電話機は、フロントケース表面にディスプレイ表示装置が設けられた携帯電話機であって、有機ＥＬディスプレイ表示装置の裏面に耐外力に対する補強用ケース受け面を設けたことを特徴とする。
【００３４】
【発明の効果】
このように本発明によれば、収容ケースの一部又は表示窓の一部に表示パネルを固定するためのホールド構造を設けたため、部品点数の削減、製造コストの低減、表示装置の薄型化、表示視認性の向上を図ることができる。
【図面の簡単な説明】
【図１】この発明の実施の形態１〜４に係る二つ折り端末の開状態の正面図、側面図である。
【図２】この発明の実施の形態１に係る表示装置の構成例を示す断面図である。
【図３】この発明の実施の形態２に係る表示装置の構成例を示す断面図である。
【図４】この発明の実施の形態３に係る表示装置の構成例を示す断面図である。
【図５】この発明の実施の形態４に係る表示装置の構成例を示す断面図である。
【図６】この発明の実施の形態４に係る表示装置の構成例を示す断面図である。
【図７】従来の表示装置を示す断面図である。
【符号の説明】
１  有機ＥＬパネル、２  フロントケース（ＬＣＤ側）、３  ラバー、４  システム基板、５  リアケース（ＬＣＤ側）、６  表示窓、７  ＦＰＣ、８  コネクタ、９  凸状ガイドリブ、１０  固定用爪、１１  背面バッチ、１２  表面バッチ、１３  受けリブ、１４  受け面、１５  ＬＣＤホルダー、１６  リアケース（ＬＣＤ側）、１７  ＩＲ窓、１８  着信ＬＥＤ、１９  レシーバ、２０  ネジキャップ、２１  キー、２２  マイク、２３  フロントケース（ＫＥＹ側）、２４  リアケース（ＫＥＹ側）、２５  ヒンジ、２６  キャップジャック、２７カバーバッテリ、３０  Ｌ字断面ラバー。
【図１】
2004252251.tif 000003
【図２】
2004252251.tif 000004
【図３】
2004252251.tif 000005
【図４】
2004252251.tif 000006
【図５】
2004252251.tif 000007
【図６】
2004252251.tif 000008
【図７】
2004252251.tif 000009